(57)【要約】【課題】ディスクカートリッジ用ケース内からディスクカートリッジを容易に取出すことのできるようにする。【解決手段】カートリッジ収納用ケース１は、カートリッジを収納するスリーブ状のケース本体部２と、ケース本体部２の開口部を開閉する蓋部３と、ケース本体部２内にカートリッジを係止するロック部材４と、を備えている。ロック部材４は、挿入されてきたカートリッジでロック部材４に設けた係合凸部５４が押されて逃げ回動し、カートリッジが更に挿入されて、該カートリッジに設けたクランピング凹部が係合凸部５４の位置まで来ると、ロック部材４は、バネ部のバネ力で戻り回動して、係合凸部５４が上記カートリッジの凹部に係合して、上記カートリッジは、自動的にカートリッジ収納用ケース１内にロックされる。【選択図】　図３
2004103055.tif 000002
【特許請求の範囲】
【請求項１】
情報記録媒体カートリッジを収納するスリーブ状のケース本体部と、該ケース本体部の開口部を開閉する蓋部と、を備え、
上記蓋部は、薄肉のヒンジ部を介して上記ケース本体部と一体に形成されている
ことを特徴とするカートリッジ収納用ケース。
【請求項２】
上記ケース本体部は、表，裏面を構成する第１，第２の主面と、これら第１，第２の主面の周縁部に配置された複数の側壁と、を備え、
上記第１の主面と第２の主面は、一の側壁に設けた薄肉のヒンジ部によって展開可能に連結されているとともに他の側壁に設けた結合手段によって結合可能になっている
ことを特徴とする請求項１に記載のカートリッジ収納用ケース。
【請求項３】
上記ケース本体部は、開口部と対向する側壁の内側に上記カートリッジの前面を受けるカートリッジ保護リブを備えている
ことを特徴とする請求項１に記載のカートリッジ収納用ケース。
【請求項４】
上記カートリッジ保護リブは、収納されたカートリッジの前面の先端部に対向する位置に切欠部を備えている
ことを特徴とする請求項３に記載のカートリッジ収納用ケース。
【請求項５】
上記カートリッジ保護リブは、収納されたカートリッジの前面が接触する面に摩擦低減用の凸部を備えている
ことを特徴とする請求項３に記載のカートリッジ収納用ケース。
【請求項６】
上記ケース本体部は、上記第１の主面と第２の主面を重ねたときに互いに嵌合する主結合用の凸部と凹部及び補助結合用の凸部と凹部を備えている
ことを特徴とする請求項２に記載のカートリッジ収納用ケース。
【請求項７】
上記補助結合用の凸部は、弾性を有している
ことを特徴とする請求項６に記載のカートリッジ収納用ケース。
【請求項８】
上記ケース本体部は、上記第１，第２の主面の少なくとも何れか一方に、これら第１，第２の主面を重ねたときに、これら第１，第２の主面の間に介在されて、上記第１，第２の主面の間の間隔を一定に保つ間隔保持用のリブを備えている
ことを特徴とする請求項２に記載のカートリッジ収納用ケース。
【請求項９】
上記ケース本体部は、収納したカートリッジの凹部に係合して、該カートリッジをカートリッジ収納部内に係止するロック部材を備えている
ことを特徴とする請求項１に記載のカートリッジ収納用ケース。
【請求項１０】
上記ロック部材は、上記ケース本体部の一方の側壁に重なり合う第１の辺と、該第１の辺の一端部から略直角に延びて上記側壁に連続する底壁に重なり合う第２の辺と、上記第１の辺の内面側に設けられていて上記ケース本体部に挿入されてきたカートリッジに設けられている凹部に係合する係合凸部と、上記第２の辺の内面側に設けられていて上記ケース本体部に挿入されたカートリッジの前面が接触するカートリッジ受部と、上記第１の辺と第２の辺のコーナー部分に設けられた軸受孔と、を備えていて、
上記軸受孔に上記ケース本体部に設けたロック部材取付軸を挿入することにより上記ケース本体部の開口部と対向する底壁と該底壁に連続する側壁のコーナー部分に回動可能に取付けられている
ことを特徴とする請求項９に記載のカートリッジ収納用ケース。
【請求項１１】
上記ロック部材は、上記係合凸部を上記ケース本体部内に突出させた状態で上記第１の辺を上記ケース本体部の側壁の外面に重ね合わせ、上記第２の辺を上記側壁に連続する底壁の外面に重ね合わせるバネ部を備えている
ことを特徴とする請求項１０に記載のカートリッジ収納用ケース。
【請求項１２】
上記軸受孔は、小径の孔部と、該小径の孔部の上端に連設された大径の孔部と、を備え、
上記ケース本体部に設けたロック部材取付軸は、小径の孔部に遊嵌される小径の軸部と、該小径の軸部の先端に連設されていて上記大径の孔部に遊嵌される小径の孔部よりも大径の軸部と、を備えている
ことを特徴とする請求項８に記載のカートリッジ収納用ケース。
【請求項１３】
上記ケース本体部の外面には、透明樹脂シートによりポケット部が形成されている
ことを特徴とする請求項２に記載のカートリッジ収納用ケース。
【発明の詳細な説明】
【０００１】
【発明の属する技術分野】
本発明は、ディスクカートリッジ等の情報記録媒体のカートリッジを収納するカートリッジ収納用ケース、その中でも特にカートリッジの出し入れが容易なスリーブ状のカートリッジ収納用ケースに関するものである。
【０００２】
【従来の技術】
スリーブ状のカートリッジ収納用ケースとして、特開平５−２７８７７２号のディスクカートリッジ用ケースが知られている。図２２に示すように、上記ディスクカートリッジ用ケース１０１は、天板部１０２ａを有する天板部材１０２と、底板部１０３ａを有する底板部材１０３と、を突き合わせ結合し、前方側にスリット開口部１０４を有するスリーブケースとして構成したものである。上記ディスクカートリッジ用ケース１０１は、図２３に分解して示したように、内部に弾性変位可能なロック部材１０５を備えている。上記ロック部材１０５は、ディスクカートリッジ２０１のクランピング凹部２０２に係合するようになっている。
【０００３】
【発明が解決しようとする課題】
上記ディスクカートリッジ用ケース１０１は、ディスクカートリッジの出し入れが容易であるという利点がある反面、次に述べるような問題点がある。
（１）スリット開口部１０４から塵埃等が侵入し易い。カートリッジ内に収納されているディスクが高密度、高容量の場合に、ディスクに塵埃等が付着するとディスクは、致命的なダメージを受ける場合がある。従って、ディスクカートリッジを収容しているディスクカートリッジ用ケース１０１内にも塵埃等が侵入しないようにすることが望まれる。
【０００４】
上記スリット開口部１０４から塵埃等が侵入するのを防止するために、例えば、特開平５−２７８７７２号のように、上記スリット開口部１０４を開閉する開閉蓋を取付けたディスクカートリッジ用ケースも開発されているが、これは、スリーブ状のケース本体部に開閉蓋を取付ける構成であるために、部品点数及び組付工数が増えて、コスト高を惹起する。
（２）ロック部材１０５は、ディスクカートリッジ用ケース１０１内にディスクカートリッジをロックするためだけのものであって、上記ディスクカートリッジをディスクカートリッジ用ケース１０１から取出すのに上記ロック部材を利用することはできない。
【０００５】
本発明の目的は、部品点数及び組付工数を増やさずに開口部を開閉することのできるディスクカートリッジ用ケースを提供することにある。
【０００６】
また、本発明の他の目的は、ロック部材を利用して、ディスクカートリッジ用ケース内からディスクカートリッジを容易に取出すことのできるディスクカートリッジ用ケースを提供することにある。
【０００７】
【課題を解決するための手段】
本発明は、情報記録媒体カートリッジを収納するスリーブ状のケース本体部と、該ケース本体部の開口部を開閉する蓋部と、を備えたカートリッジ収納用ケースにおいて、
上記蓋部を、薄肉のヒンジ部を介して上記ケース本体部と一体に形成することにより、
部品点数及び組付工数を増やさずに開口部を蓋部で開閉できるようにした。
【０００８】
また、本発明は、情報記録媒体カートリッジを収納するスリーブ状のケース本体部と、該ケース本体部の開口部を開閉する蓋部と、上記ケース本体部内にカートリッジを係止するロック部材と、を備えたカートリッジ収納用ケースにおいて、
上記ロック部材を、略Ｌ字状に形成して、上記ケース本体部の開口部と対向する側壁のコーナー部分に設けた切欠部に回動可能に取付け、上記略Ｌ字状のロック部材の一方の辺をケース本体部の側壁側に位置させ、他方の辺をケース本体部の底壁側に位置させ、上記側壁側に位置する一方の辺の上記ケース本体部内に突出する係合凸部を設け、他方の辺にカートリッジ受部を設けることにより、
上記ロック部材を一方向に回動させると上記係合凸部がディスクカートリッジのクランピング凹部に係合してディスクカートリッジをケース本体部内にロックし、上記ロック部材を他方向に回動させると上記係合凸部がディスクカートリッジのクランピング凹部から抜け出て、ロックを解除し、上記カートリッジ受部でディスクカートリッジをケース本体部内から押し出すようにした。
【０００９】
【発明の実施の形態】
次に、本発明のカートリッジ収納用ケースを（１）第１の実施の形態の全体の概略構成、（２）ケース本体部の構成、（３）蓋部の構成、（４）ロック部材の構成、（５）作用の各項に分けて順に説明し、次に（６）で他の実施の形態について説明する。
（１）全体の概略構成
図１は、蓋部を閉じた状態のカートリッジ収納用ケース１の斜視図、図２は蓋部を開いた状態のカートリッジ収納用ケース１の斜視図、図３はケース本体部を展開し、ロック部材を取り外した状態の斜視図、図４はロック部材の拡大図である。
【００１０】
上記カートリッジ収納用ケース１は、情報記録媒体カートリッジとしてのディスクカートリッジ（以下、単にカートリッジと称する）２０１を収納するスリーブ状のケース本体部２と、該ケース本体部２の開口部を開閉する蓋部３と、上記ケース本体部２に収納したカートリッジ２０１の一側部に設けられたクランピング凹部２０２に係合して、該カートリッジ２０１をケース本体部２内に係止するロック部材４を備えている。
【００１１】
上記蓋部３は、上記ケース本体部２に薄肉のヒンジ部５を介して一体に形成されている。
【００１２】
上記ロック部材４は、略Ｌ字状に形成されていて、第１の辺５１を上記ケース本体部２の第２の側壁１４側に重ね合わせ、第２の辺５２を上記ケース本体部２の第３の側壁（底壁）１５側に重ね合わせた状態で、上記第２の側壁１４と第３の側壁１５のコーナー部分に回動可能に取付けられている。
【００１３】
図４に示すように、上記ロック部材４は、カートリッジ２０１に設けられているクランピング凹部２０２に係合する係合凸部５４を第１の辺５１側に備え、第２の辺５２側にカートリッジ受部５５を備えている
図５（Ａ）に示すように、上記略Ｌ字状のロック部材４の第１の辺５１と第２の辺５２は、上記ケース本体部２にカートリッジ２０１を収納する前においては、上記ケース本体部２の側壁の外面と略面一に重なり合った状態になっていて、上記第１の辺５１に設けた係合凸部５４が上記ケース本体部２内に突出した状態になっている。
【００１４】
そして、図５（Ｂ）に示すように、上記ケース本体部２にカートリッジ２０１を挿入すると、上記カートリッジ２０１で上記係合凸部５４が押されて、上記ロック部材４は、上記係合凸部５４が上記カートリッジ２０１から逃げる方向（時計方向）に回動する。
【００１５】
さらに、カートリッジ２０１が挿入されると、図５（Ｃ）に示すように、の前面で上記カートリッジ受部５５が押圧されて、上記ロック部材４は、反時計方向に回動して、上記係合凸部５４がカートリッジ２０１に設けられているクランピング凹部２０２に係合して、カートリッジ２０１をケース本体部２内にロックする。
【００１６】
また、上記カートリッジ２０１が収納されている状態において、図５（Ｄ）に示すように、上記第１の辺５１の先端の回動操作部５３に指先を掛けるなどして、上記ロック部材４を時計方向に回動させれば、上記カートリッジ２０１は、上記カートリッジ受部５５で押圧されて、ケース本体部２内から押し出されるようになっている。
（２）ケース本体部の構成
図１、図２に示すように、上記ケース本体部２は、表，裏面を構成する第１，第２の主面１１，１２と、これら第１，第２の主面１１，１２の周縁部に配置された第１〜第３の側壁１３〜１５と、を備えている。
【００１７】
図３に示すように、上記第１の主面と第２の主面１１，１２は、上記第１の側壁１３及び第１，第２の薄肉のヒンジ部１６，１７によって展開可能に連結されている。上記第２の主面１２の開口端側の端部は、上記第１の主面１１の開口端側の端部よりも若干、前方に突出した状態になっている。
【００１８】
上記第２の側壁１４は、第１の主面１１に設けた側壁構成部１４ａと、第２の主面１２に設けた側壁構成部１４ｂを突き合わせることにより構成されている。また、上記第３の側壁（以下、底壁と称する）１５は、第１の主面１１に設けた側壁構成部１５ａと、第２の主面１２に設けた側壁構成部１５ｂを突き合わせることにより構成されている。
【００１９】
第１の主面１１に設けた側壁構成部１４ａと第２の主面１２に設けた側壁構成部１４ｂは、その先端の突き合せ部に、段部１４ｃ，１４ｄを備えている。そして、図６に示すように、上記側壁構成部１４ａと側壁構成部１４ｂを突き合わせると、上記段部１４ｃ，１４ｄの係合により上記第１の主面１１と第２の主面１２の位置ずれを防止するようになっている。また、上記第１の主面１１に設けた側壁構成部１５ａと第２の主面１２に設けた側壁構成部１５ｂも同様の構成になっている。
【００２０】
また、第１の主面１１の側壁構成部１４ａと第２の主面１２の側壁構成部１４ｂは、その先端部を突き合わせた状態すると、図７に示すように、結合手段１８によって互いに結合されるようになっている。
【００２１】
上記結合手段１８は、第１の主面１１の側壁構成部１４ａに設けた一対の係合凸部１８ａと、第２の主面１２に設けた一対の係合凹部１８ｂと、で構成されている。
【００２２】
上記係合凸部１８ａと係合凹部１８ｂは、第１の主面１１に設けた側壁構成部１４ａと第２の主面１２に設けた側壁構成部１４ｂの先端部を突き合わせると、互いに係合して、第１の主面１１に設けた側壁構成部１４ａと第２の主面１２に設けた側壁構成部１４ｂとを結合するようになっている。
【００２３】
また、図８に示すように、第１の主面１１に設けた側壁構成部１４ａと第２の主面１２に設けた側壁構成部１４ｂの突き合せ部には、上記結合手段１８の両側に一対の指掛け用の凹部１９が設けられている。そして、上記指掛け用の凹部１９に指先等を挿入して、上記第１の主面１１と第２の主面１２を押し開くようにすれば、上記結合手段１８を構成する係合凸部１８ａが係合凹部１８ｂから抜け出て、両者の結合は解除されるようになっている。
【００２４】
また、図９に示すように、上記ケース本体部２は、上記第１の主面１１と第２の主面１２を重ねてスリーブ状にしたときに、これら第１，第２の主面１１，１２の間の間隔Ｄを一定に保つ間隔保持用のリブ３０を備えている。上記間隔保持用のリブ３０は、上記第１の側壁１３と上記第１，第２の主面１１，１２を連結しているヒンジ部１６，１７に沿って形成されている。
【００２５】
図１０に示すように、第１の主面１１の側壁構成部１４ａと側壁構成部１５ａのコーナー部分及び第２の主面１２の側壁構成部１４ｂと側壁構成部１５ｂのコーナー部分は、上記ロック部材４を取付けるために切り欠かれた状態になっている。
【００２６】
第２の主面１２の第１の側壁１３と側壁構成部１５ｂのコーナー部分には、上記カートリッジ２０１の前面の一側部２０１ａ（図２参照）が当接する略円弧状の第１のカートリッジ保護リブ２２が設けられていると共に、側壁構成部１４ｂと側壁構成部１５ｂのコーナー部分には、上記カートリッジ２０１の前面の他側部２０１ｂ（図２参照）が当接する略円弧状の第２のカートリッジ保護リブ２３が設けられている。
【００２７】
上記第１のカートリッジ保護リブ２２と第２のカートリッジ保護リブ２３の間は、凹部２４になっていて、カートリッジ２０１の前面の中央の先端部２０１ｃ（図２参照）が上記側壁構成部１５ｂの内面に当接することのないようになっている。
【００２８】
上記第２のカートリッジ保護リブ２３の中央部には、切欠部２３ａが設けられていて、該切欠部２３ａに上記ロック部材４のカートリッジ受部５５が位置するようになっている。
【００２９】
同様に、上記第１の主面１１の上記第１の側壁１３と側壁構成部１５ａのコーナー部分の内面の上記第２の主面１２の第１のカートリッジ保護リブ２２と対向する位置には、第３のカートリッジ保護リブ２６が設けられていると共に、上記側壁構成部１４ａと側壁構成部１５ａのコーナー部分の内面の上記第２の主面１２の第２のカートリッジ保護リブ２３と対向する位置には、第４のカートリッジ保護リブ２７が設けられている。
【００３０】
上記第３のカートリッジ保護リブ２６は、上記第１のカートリッジ保護リブ２２と略同様に構成され、上記第４のカートリッジ保護リブ２７は、上記第２のカートリッジ保護リブ２３と略同様に構成されている。
【００３１】
上記第１のカートリッジ保護リブ２２及び第３のカートリッジ保護リブ２６のカートリッジ２０１との接触面には、該カートリッジ２０１との間の摩擦を低減するための突起２５が設けられている。
【００３２】
上記第２の主面１２の第２のカートリッジ保護リブ２３よりも外側（側壁構成部１５ｂ側）には、上記ロック部材４を回動可能に取付けるロック部材取付軸２１が設けられ、該ロック部材取付軸２１に対向する第１の主面１１の内面には、上記ロック部材取付軸２１の上端部に嵌合する凸部２０が設けられている。
【００３３】
図１２、図１３に示すように、上記ロック部材取付軸２１は、下端の台座部２１ａと、中間の小径軸部２１ｂと、上端の大径軸部２１ｃと、を備えている。上記ロック部材取付軸２１は、抜け防止部２１ｃから軸本体部２１ｂの下端にかけてスリット２１ｄにより軸方向に２分割或いは４分割されていて、次に説明するロック部材４の軸受孔５６への挿入を容易に行なうことができるようになっていると共に、分割することにより適度の弾性が付与されている。
【００３４】
また、図１４に拡大して示すように、上記第２の主面１２の第１のカートリッジ保護リブ２２と側壁構成部１５ｂの間には、補助結合用凹部２８が設けられている。また、上記第１の主面１１は、その内面の上記結合用凹部２８と対向する位置に略直方体形状の補助結合用凸部２９を備えている。
【００３５】
上記補助結合用凸部２９は、第１の主面１１を第２の主面１２上に重ね合わせたときに、上記補助結合用凹部２８に嵌合して、上記結合手段１９と共に、上記第１の主面１１と第２の主面１２を確実に結合するようになっている。
【００３６】
上記補助結合用凸部２９は、スリット２９ａによって高さ方向に分割されていて、上記補助結合用凹部２８への嵌合が容易になっていると共に、上記補助結合用凸部２９に弾性を付与するようになっている。上記スリット２９ａは、図１４に示すように、上記補助結合用凸部２９の短辺方向に伸びるように形成しても、或いは図１５に示すように、上記補助結合用凸部２９の長辺方向に伸びるように形成してもよい。
【００３７】
また、図３に示すように、上記第１の主面１１の内面の開口部側の端部の両側部には、塵埃侵入防止用の膨出部３１が設けられている。上記塵埃侵入防止用の膨出部３１は、上記カートリッジ２０１を収納した場合に、該カートリッジ２０１（カートリッジ２０１は、上面の中央部が盛り上がった状態になっている）の上面側の両側部と、第１の主面１１の内面との間の隙間を埋めて塵埃等が内部に侵入するのを阻止するようになっている。
【００３８】
また、上記第１の側壁１３の開口部側の端部には、次に説明する蓋部３を閉じたときに、該蓋部３の第１の側壁４２の内側に重なり合う第１の突出部３２が設けられていると共に、上記第１の主面１１の側壁構成部１４ａの開口部側の端部には、蓋部３を閉じたときに、該蓋部３の第２の側壁４３の内側に重なり合う第２の突出部３３が設けられている。そして、蓋部３を閉じた状態にすると、図１６に示すように、上記第１の側壁４２と第２の側壁４３に設けた凹部４５に、上記第１の突出部３２と第２の突出部３３に設けた突部４６が係合して、蓋部３は閉じた状態に維持される。
【００３９】
また、上記第１の主面１１の開口部側の外面の中央部には、次に説明する上記蓋部３の天面部４４の中央部に設けた開閉操作部４７を重ね合わせる蓋受部１１ａが設けられている。
【００４０】
上記ケース本体部２は、可撓性に優れ、且つ引っ張り伸び率の高いポリプロピレン（ＰＰ）やポリエチレン（ＰＥ）等の熱可塑性樹脂により一体的に射出成形されている。
（３）蓋部の構成
図３に示すように、上記蓋部３は、第２の主面１２の開口部側の端部に薄肉のヒンジ部５を介して連設されている。上記蓋部３は、上記ケース本体部２の開口部を閉じた状態において、上記ケース本体部２の底壁１５と対向する矩形状の蓋本体部４１と、該蓋本体部４１の一方の短辺側に設けられていて上記ケース本体部２の開口部を閉じた状態において上記第１の側壁１３の開口部側の端部に設けた第１の突出部３２の外側に重なり合う第１の側壁４２と、上記蓋本体部４１の他方の短辺側に設けられていて上記ケース本体部２の開口部を閉じた状態において上記ケース本体部２に設けた第２の突出部３３の外側に重なり合う第２の側壁４３と、上記蓋本体部４１の一方の長辺側に設けられていて上記ケース本体部２の開口部を閉じた状態において上記第１の主面１１上に重なり合う天面部４４と、を備えている。
【００４１】
上記第１の側壁４２と第２の側壁４３には、上記ケース本体部２の第１の突出部３２と第２の突出部３３に設けられている凸部４６が係合する凹部４５が設けられている。
【００４２】
また、蓋部３を閉じることにより上記第１の主面１１に設けた蓋受部１１ａに上記蓋部３の天面部４４の中央部の開閉操作部４７が重なり合った状態において、図１７に示すように、上記開閉操作部４７と蓋受部１１ａとの間には隙間Ｇが生じるようになっている。そして、上記隙間Ｇに指先等を挿入して、蓋部３を開くことができるようになっている。
【００４３】
上記蓋部３は、上記ケース本体部２と同一の熱可塑性樹脂によって、ケース本体部２と一体に射出成形されている。
（４）ロック部材の構成
図４に示すように、上記ロック部材４は、第１の辺５１と第２の辺５２とにより略Ｌ字状に形成されている。上記ロック部材４は、第１の辺５１の先端部に回動操作部５３を備え、上記第１の辺５１の内面側にカートリッジ２０１に設けられているクランピング凹部２０２に係合する係合凸部５４を備えていると共に、上記第２の辺５２の内面側にカートリッジ受部５５を備えている。
【００４４】
また、上記ロック部材４は、第１の辺５１と第２の辺５２が交わるコーナー部の近傍に上記ケース本体部２に設けたロック部材取付軸２１を挿入する軸受孔５６と略円弧状の弾性突起５７を備えている。
【００４５】
図１３に示すように、上記軸受孔５６は、小径孔部５６ａと、その上方に位置する大径の孔部５６ｂと、を備えている。上記ロック部材４は、上記軸受孔５６に上記ロック部材取付軸２１を挿入すると、上記小径孔部５６ａ内に上記ロック部材取付軸２１の小径軸部２１ｂが位置し、上記大径の孔部４６ｂ内に上記ロック部材取付軸２１の大径軸部２１ｃが位置して、該大径軸部２１ｃにより所謂抜けを防止された状態で上記ロック部材取付軸２１に回転可能に取付けられている。
【００４６】
上記ロック部材４は、上記ロック部材取付軸２１に取付けられた状態において、図５（Ａ）に示すように、上記略円弧状の弾性突起５７が上記ケース本体部２の弾性突起当接部５８に当接して、第１の辺５１が上記ケース本体部２の第２の側壁１４と略面一に重なり、第２の辺５２が上記ケース本体部２の底壁１５と略面一に重なるようになっている。
【００４７】
上記ロック部材４は、ポリプロピレン（ＰＰ）やポリエチレン（ＰＥ）等の熱可塑性樹脂の他にポリスチレン（ＰＳ）やハイインパクトポリスチレン（ＧＰ−ＰＳ）、アクリルブチレンスチロール（ＡＢＳ）等の比較的コストの安い熱可塑性樹脂で射出成形により一体的に形成されている。上記ロック部材４は、ケース本体部２や蓋部３のようにヒンジ部を備えておらず、従って、可撓性や引っ張り伸び率等の性能は要求されないので、樹脂の材質がケース本体部２や蓋部３のように限定されず、比較的コストの安い熱可塑性樹脂を使用することができる。
（５）作用
第１の実施の形態のカートリッジ収納用ケース１は、上述のような構成であって、図２に示すように、蓋部３を開いて、ケース本体部２にカートリッジ２０１を挿入すると、図５（Ｂ）に示すように、上記カートリッジ２０１で上記係合凸部５４が押圧されて、上記ロック部材４は、上記係合凸部５４が上記カートリッジ２０１から逃げる方向（時計方向）に回動する。このとき、上記ロック部材４に設けた弾性突起５７がケース本体部２に設けた弾性突起係合部５８に押し付けられて、上記弾性突起５７は、撓んで復帰力が蓄勢される。
【００４８】
カートリッジ２０１がケース本体部２に所定量侵入すると、図５（Ｃ）に示すように、上記カートリッジ２０１の前面で上記カートリッジ受部５５が押圧されて、上記ロック部材４は、上記係合凸部５４が上記カートリッジ２０１に近づく方向（反時計方向）に回動して、上記係合凸部５４がカートリッジ２０１に設けられているクランピング凹部２０２に係合して、カートリッジ２０１は、ケース本体部２内にロックされた状態になる。そして、上記蓋部３を閉じることによりカートリッジ２０１の収納作業は終了するのである。
【００４９】
また、ケース本体部２からのカートリッジ２０１の取出作業は、先ず蓋部３を開いたのち、図５（Ｄ）に示すように、上記回動操作部５３に指先を掛けるなどして、上記ロック部材４を時計方向に回動させれば、上記カートリッジ２０１は、上記カートリッジ受部５５で押圧されて、上記開口部から押し出されるのである。このとき、ロック部材４によるロックの解除とカートリッジ２０１の押し出しは、同時並行的に行なわれるようになっている。
（６）他の実施の形態
図１８、図１９は、第２の実施の形態のカートリッジ収納用ケース１を示す。この実施の形態は、ケース本体部２の外面にインデックスカード（図示省略）等を収納するポケット６１が設けられている。
【００５０】
上記ポケット６１は、長方形状の透明樹脂シート６２を、展開したケース本体部２の第１の側壁１３を中心にして第１の主面１１と第２の主面１２の両者に跨るように重ね合わせて、上記長方形状の透明樹脂シート６２の３辺が溶着等の手段により上記第１の主面１１と第２の主面１２に接着されている。６３は、接着部である。
【００５１】
そして、接着されていない他の１辺側の開口部６４から、上記透明樹脂シート６２と上記第１の主面１１及び第２の主面１２の間にインデックスカード等を挿入するようになっている。
【００５２】
上記長方形状の透明樹脂シート６２は、展開したケース本体部２の第１の主面１１と第２の主面１２にインデックスカード等を挿入するのに必要な隙間ができるようにして、上記展開したケース本体部２の第１の主面１１と第２の主面１２に接着されている。そして、上記展開したケース本体部２をスリーブ状に折り曲げると、上記長方形状の透明樹脂シート６２及びインデックスカード等は、スリーブ状に折り曲げられたケース本体部２の第１の主面１１と第２の主面１２に密着するようになっている。他の構成は、第１の実施の形態の場合と同じであるので、同一構成部分には同一符合を付して重複する説明を省略する。なお、上記各実施の形態においては、第２の主面１２の開口部側の端部を、第１の主面１１の開口部側の端部よりも前方に突出させて、該突出させた部分にヒンジ部５を介して蓋部３を連設する構成にしたが、図２０に示すように、第２の主面１２の開口部側の端部を、第１の主面１１の開口部側の端部の位置に揃えても良い。また、図２１に示すように、ケース本体部２の第１の主面１１の膨出部３１の先端面に凸部４５を設け、蓋部３の上記凸部４５と対向する位置に凹部４６を設け、これら凸部４５と凹部４６の嵌合により蓋部３を閉じた状態に維持するようにしてもよい。
【００５３】
【発明の効果】
本発明の情報記録媒体カートリッジには次に述べるような効果がある。
（１）請求項１のカートリッジ収納用ケースは、蓋部を薄肉のヒンジ部を介してケース本体部と一体に形成したので、蓋部を設けることによる部品点数の増加、及び組付工数の増加を防止することができる。
（２）請求項２のカートリッジ収納用ケースは、内部に侵入した塵埃等を容易に取出すことができないというスリーブ状のカートリッジ収納用ケースの欠点を、ケース本体部を展開することにより容易に解決することができる。
（３）請求項３のカートリッジ収納用ケースは、ケース本体部の底壁の内側にカートリッジ保護リブを設けたので、カートリッジ収納用ケースを誤って落としたような場合でも、落下時の衝撃等からカートリッジを保護することができる。
（４）請求項４のカートリッジ収納用ケースは、上記カートリッジ保護リブの中央部に凹部を設け、収納されたカートリッジの前面の先端部が上記ケース本体部の底壁に直接、接触しないようにしたので、落下時等において、その衝撃がカートリッジの前面の中央部に集中するのを防止することができる。
（５）請求項５のカートリッジ収納用ケースは、カートリッジ保護リブのカートリッジの前面が接触する面に摩擦低減用の凸部を設けたので、落下時等において、カートリッジ保護リブとカートリッジの前面との間に滑り摩擦を生じさせて、カートリッジの前面をより確実に保護することができる。
（６）請求項６のカートリッジ収納用ケースは、ケース本体部をスリーブ状にするべく、第１の主面と第２の主面を重ね合わせると、これら第１の主面と第２の主面に設けた結合用の凸部と凹部が互いに嵌合して、上記第１の主面と第２の主面を結合することができる。
（７）請求項７のカートリッジ収納用ケースは、上記結合用の凸部に弾性を持たせたので、カートリッジ収納用ケースを誤って落としたような場合に、上記結合用の凸部が弾性変形して落下時の衝撃を吸収することができる。
（８）請求項８のカートリッジ収納用ケースは、第１，第２の主面を重ね合わせてスリーブ状にしたときに、上記第１，第２の主面の少なくとも何れか一方に設けた間隔保持リブが他方の主面に当接して、これら第１，第２の主面の間の間隔を一定に保つことができる。
（９）請求項９のカートリッジ収納用ケースは、挿入したカートリッジをロック部材でロックして、上記カートリッジがカートリッジ収納部内から抜け出るのを防止することができる。
（１０）請求項１０のカートリッジ収納用ケースは、カートリッジを挿入すると、該カートリッジでロック部材に設けた係合凸部が押されてロック部材が逃げ回動し、カートリッジが更に挿入されて、該カートリッジに設け凹部が上記係合凸部の位置まで来ると、上記ロック部材は、バネ部のバネ力で戻り回動して、上記係合凸部が上記凹部に係合して、上記カートリッジは、自動的にロックされた状態になる。
（１１）請求項１１のカートリッジ収納用ケースは、上記バネ部材をロック部材と一体に形成したので部品点数の増加と、組付工数の増加を防ぐことができる。
（１２）請求項１２のカートリッジ収納用ケースは、ロック部材に設けた軸受孔に、ケース本体部に設けたロック部材取付軸を挿入するという簡単な作業で、ロック部材をロック部材取付軸に回転自在に取付けることができる。
（１３）請求項１３のカートリッジ収納用ケースは、インデックスカード等をポッケト部内に挿入し、挿入したインデックスカード等を外部から読み取ることが可能になる。
【図面の簡単な説明】
【図１】第１の実施の形態のカートリッジ収納用ケースの斜視図（蓋部を閉じた状態）。
【図２】第１の実施の形態のカートリッジ収納用ケースの斜視図（蓋部を開いた状態）。
【図３】第１の実施の形態のカートリッジ収納用ケースの展開図。
【図４】ロック部材の斜視図。
【図５】（Ａ）、（Ｂ）、（Ｃ）、（Ｄ）は、ロック部材の作用を示す説明図。
【図６】第１の主面と第２の主面の側壁の突合部の断面図。
【図７】結合手段の断面図。
【図８】指掛け用の凹部の断面図。
【図９】間隔保持用のリブ部分の断面図。
【図１０】ケース本体部を展開した状態の平面図。
【図１１】摩擦低減用の凸部の拡大図。
【図１２】ロック部材の軸受孔部分及びロック部材取付軸の斜視図。
【図１３】ロック部材の軸受孔にロック部材取付軸を挿入した状態の断面図。
【図１４】補助結合用凹凸部の斜視図。
【図１５】補助結合用凹凸部の拡大斜視図。
【図１６】ケース本体部と蓋部の係合状態を示す断面図。
【図１７】ケース本体部の蓋受部と、蓋部の開閉操作部の重ね合せ部の断面図。
【図１８】第２の実施の形態のカートリッジ収納用ケースの斜視図（蓋部を閉じた状態）。
【図１９】第２の実施の形態のカートリッジ収納用ケースを展開した状態の斜視図。
【図２０】他の実施例の斜視図。
【図２１】他の実施例の斜視図。
【図２２】従来例の断面図。
【図２３】従来例の問題点を示す説明図。
【符号の説明】
１…カートリッジ収納ケース、２…ケース本体部、３…蓋部、４…ロック部材、５…ヒンジ部、１１…第１の主面、１２…第２の主面、１３…第１の側壁、１４…第２の側壁、１４…第２の側壁、１５…第３の側壁（底壁）、１６，１７…ヒンジ部、１８…結合手段、１９…指掛け用凹部。
【図１】
2004103055.tif 000003
【図２】
2004103055.tif 000004
【図３】
2004103055.tif 000005
【図４】
2004103055.tif 000006
【図５】
2004103055.tif 000007
【図６】
2004103055.tif 000008
【図７】
2004103055.tif 000009
【図８】
2004103055.tif 000010
【図９】
2004103055.tif 000011
【図１０】
2004103055.tif 000012
【図１１】
2004103055.tif 000013
【図１２】
2004103055.tif 000014
【図１３】
2004103055.tif 000015
【図１４】
2004103055.tif 000016
【図１５】
2004103055.tif 000017
【図１６】
2004103055.tif 000018
【図１７】
2004103055.tif 000019
【図１８】
2004103055.tif 000020
【図１９】
2004103055.tif 000021
【図２０】
2004103055.tif 000022
【図２１】
2004103055.tif 000023
【図２２】
2004103055.tif 000024
【図２３】
2004103055.tif 000025